(57)【要約】【課題】ディスクキャリアの平衡調整をより迅速かつ簡単にすることができるディスク装置の主軸モーターのディスクキャリア調整構造を提供する。【解決手段】複数個の調整部材と複数個の位置決め孔が含まれる。上記位置決め孔は等角度かつ対称になるようにディスクキャリアまたはローターハブに設置され、上記調整部材は上記位置決め孔に螺設されて上記ディスクキャリアとローターハブとの間に当接するように形成され、上記調整部材の当接の程度を変えることにより、上記ディスクキャリアとローターハブとの間隔を調整することができるため、上記ディスクキャリアとローターハブを水平に保つことができると共に、安定して平衡に回転することができるように構成されている。【選択図】    図３
2004171668.tif 000002
【特許請求の範囲】
【請求項１】
少なくとも一個の調整部材（１２）を含むディスク装置における主軸モーターのディスクキャリア調整構造であって、上記調整部材（１２）はディスクキャリア（１０）とローターハブ（３０）の間に当接されることができるため、上記調整部材（１２）の当接の程度を変えることで、上記ディスクキャリア（１０）とローターハブ（３０）との間隔を調整し、さらに上記ディスクキャリア（１０）とローターハブ（３０）との傾斜状態を修正することにより、上記ディスクキャリア（１０）とローターハブ（３０）を水平に保つことができると共に、安定して平衡に回転することができることを特徴とするディスク装置の主軸モーターのディスクキャリア調整構造。
【請求項２】
上記調整部材（１２）はねじからなることを特徴とする請求項１に記載のディスク装置の主軸モーターのディスクキャリア調整構造。
【請求項３】
上記調整部材（１２）は異なる長さを有した複数個の柱体からなることを特徴とする請求項１に記載のディスク装置の主軸モーターのディスクキャリア調整構造。
【請求項４】
上記調整部材（１２）は異なる弾性係数を有した複数個の弾性部材からなることを特徴とする請求項１に記載のディスク装置の主軸モーターのディスクキャリア調整構造。
【請求項５】
上記調整部材（１２）は金属、合金、プラスチックにより製造されることを特徴とする請求項１、２、３または４に記載のディスク装置の主軸モーターのディスクキャリア調整構造。
【請求項６】
上記調整部材（１２）は溶接、熱溶接、粘着剤付けの方式により固定されることを特徴とする請求項１、２、３または４に記載のディスク装置の主軸モーターのディスクキャリア調整構造。
【請求項７】
上記ディスクキャリア（１０）には他に上記調整部材（１２）を螺設するための位置決め孔（１３）が複数個穿設され、上記調整部材（１２）が位置決め孔（１３）に螺設される程度を変えることにより、上記ディスクキャリア（１０）とローターハブ（３０）との間隔を調整することを特徴とする請求項１または２に記載のディスク装置の主軸モーターのディスクキャリア調整構造。
【請求項８】
上記ローターハブ（３０）には他に上記調整部材（１２）を螺設するための位置決め孔（１３）が複数個穿設され、上記調整部材（１２）が位置決め孔（１３）に螺設される程度を変えることにより、上記ディスクキャリア（１０）とローターハブ（３０）との間隔を調整することを特徴とする請求項１または２に記載のディスク装置の主軸モーターのディスクキャリア調整構造。
【請求項９】
上記位置決め孔（１３）は等角度かつ対称になるように上記ディスクキャリア（１０）に設置されることを特徴とする請求項７に記載のディスク装置の主軸モーターのディスクキャリア調整構造。
【請求項１０】
上記位置決め孔（１３）は等角度かつ対称になるように上記ローターハブ（３０）に設置されることを特徴とする請求項８に記載のディスク装置の主軸モーターのディスクキャリア調整構造。
【請求項１１】
位置決め孔（３３）の下周縁には他にフランジ（３３１）が突設されることを特徴とする請求項７に記載のディスク装置の主軸モーターのディスクキャリア調整構造。
【請求項１２】
上記位置決め孔（３３）の上周縁には他にフランジ（３３１）が突設されることを特徴とする請求項８に記載のディスク装置の主軸モーターのディスクキャリア調整構造。
【請求項１３】
上記ディスクキャリア（１０）には他に滑り止めパッド（１５）が設置されることを特徴とする請求項１に記載のディスク装置の主軸モーターのディスクキャリア調整構造。
【発明の詳細な説明】
【０００１】
【発明の属する技術分野】
本発明は、ディスク装置における主軸モーターのディスクキャリア調整構造に関するもので、特に、ディスク装置の主軸モーターが複数個の調整部材を利用し、ディスクキャリアとローターハブとの間隔を調整することにより、ディスクキャリアの平衡状態を迅速に調整することができるディスク装置の主軸モーターのディスクキャリア調整構造に係るものである。
【０００２】
【従来の技術】
従来この種のものにあっては、下記のようなものになっている。
【０００３】
従来のディスク装置の主軸モーターとしては、図１，２に示すように通常としてディスクキャリア１０、軸２０、ローターハブ３０およびステータ組４０が含まれる。ディスクキャリア１０にはディスクを係止し載置するための挟持座１１が設けられ、軸２０はディスクキャリア１０およびローターハブ３０と連結するように形成され、ステータ組４０には軸管４１が固設され、回路板４２の制御によって交番磁場が形成され、さらにローターハブ３０にはステータ組４０の交番磁場と誘導できる環状磁石３１が環設されることにより、ディスクキャリア１０およびディスクが同時に回転するように連動することができるようにしたものがある。
【０００４】
また、従来のディスク装置の平衡配重器としては、垂直の平面に固定された基座と、基座の中央に組立てられた回転軸と、回転軸に装着されたディスクキャリアと、ディスクキャリアに組立てられたディスクを係止するための係止装置により構成され、ディスクの媒質の不均一の問題を解決しようとしたものがある（例えば、特許文献１を参照）。
【０００５】
【特許文献１】
中国実用新型専利番号第０１２０９５４７．８号
【０００６】
【発明が解決しようとする課題】
上述した前者の従来のディスク装置における主軸モーターについては、ディスクキャリア１０が初期に軸２０に組立てられた時、ディスクキャリア１０はローターハブ３０に対して少し傾斜になりがちで、そのためにローターハブ３０とは平行に保つことは難しくなり、そしてディスクキャリア１０の傾斜によってディスク装置に与える回転平衡および完成品の良品率の影響を避けるため、業界において旋盤を利用してディスクキャリア１０の上方への傾斜側を加工して研磨するのが通常で、このようにして上記傾斜側のディスクキャリア１０の厚さはａからｂまで研磨されることにより、ディスクキャリア１０の全体の表面はローターハブ３０に対して平行を保って平衡にして回転することができる。しかし、上述した旋盤を利用した方式ではディスクキャリア１０の傾斜状態を修正し調整することができるが、その研磨の過程においてディスクキャリア１０の平衡状態を繰り返し測定しなければならないため、製造過程が長くなるだけではなく、過度的な破壊性の研磨によってディスクキャリア１０の構造の強度および回転の安定性に影響を与えてしまうという問題点があった。
【０００７】
上述した後者の従来のディスク装置における平衡配重器については、ディスクキャリアに紙テープを貼ることによって重りとしてディスクキャリアの回転を平衡に保つことができるが、人の手を頼って貼らなければならないため、時間が掛かると共に、正確性にも欠けているという問題点があった。
【０００８】
本発明は、このような問題点に鑑みて発明したものであって、その目的とするところは、複数個の調整部材を設置してディスク装置の主軸モーターのディスクキャリアとローターハブとの間に当接し、上記調整部材の当接の程度を変えるだけで、破壊性の方式を利用しなくても上記ディスクキャリアとローターハブとの隙間を調整し、さらに上記ディスクキャリアがローターハブに対する傾斜状態を修正することにより、上記ディスクキャリアとローターハブを水平に保つことができると共に、安定して平衡に回転することができるため、ディスクキャリアの水平の位置決めを確実かつ簡単に調整することができるディスク装置の主軸モーターのディスクキャリア調整構造を提供しようとするものである。
【０００９】
本発明の第一の目的は、複数個の調整部材を利用してディスクキャリアとローターハブとの間隔を調整し、ディスクキャリアとローターハブとの傾斜状態を修正することにより、ディスクキャリアの平衡調整をより迅速かつ簡単にすることができるディスク装置の主軸モーターのディスクキャリア調整構造を提供しようとするものである。
【００１０】
本発明の第二の目的は、複数個の調整部材を利用して複数個の位置決め孔と合わせ、ディスクキャリアとローターハブとの間隔を調整し、ディスクキャリアとローターハブとの傾斜状態を修正することにより、ディスクキャリアの平衡調整をより迅速かつ簡単にすることができるディスク装置の主軸モーターのディスクキャリア調整構造を提供しようとするものである。
【００１１】
【課題を解決するための手段】
上記目的を達成するために、本発明によるディスク装置の主軸モーターのディスクキャリア調整構造は、下記のようになるものである。すなわち、
少なくとも一個の調整部材が含まれる。上記調整部材はディスクキャリアとローターハブの間に当接されることができるため、上記調整部材の当接の程度を変えることで、上記ディスクキャリアとローターハブとの間隔を調整し、さらに上記ディスクキャリアとローターハブとの傾斜状態を修正することにより、上記ディスクキャリアとローターハブを水平に保つことができると共に、安定して平衡に回転することができる。
【００１２】
また、本発明のディスク装置の主軸モーターのディスクキャリア調整構造は、下記のように構成することもできる。
１．上記調整部材はねじからなる。
２．上記調整部材は異なる長さを有した複数個の柱体からなる。
３．上記調整部材は異なる弾性係数を有した複数個の弾性部材からなる。
４．上記調整部材は金属、合金、プラスチックにより製造される。
５．上記調整部材は溶接、熱溶接、粘着剤付けの方式により固定される。
６．上記ディスクキャリアには他に調整部材を螺設するための位置決め孔が複数個穿設され、調整部材が位置決め孔に螺設された程度を変えることにより、ディスクキャリアとローターハブとの間隔を調整する。
７．上記ローターハブには他に調整部材を螺設するための位置決め孔が複数個穿設され、調整部材が位置決め孔に螺設された程度を変えることにより、ディスクキャリアとローターハブとの間隔を調整する。
８．上記位置決め孔は等角度かつ対称になるようにディスクキャリアに設置される。
９．上記位置決め孔は等角度かつ対称になるようにローターハブに設置される。
１０．位置決め孔の下周縁には他にフランジが突設される。
１１．上記位置決め孔の上周縁には他にフランジが突設される。
１２．上記ディスクキャリアには他に滑り止めパッドが設置される。
【００１３】
【発明の実施の形態】
本発明の実施の形態について、以下、図面を参照して説明する。
【００１４】
図３は本発明の実施形態１のディスク装置の主軸モーターのディスクキャリア調整構造による分解斜視図であり、図４は本発明の実施形態１のディスク装置の主軸モーターのディスクキャリア調整構造が平衡調整を行う前における組立てられた状態の断面図であり、図５は本発明の実施形態１のディスク装置の主軸モーターのディスクキャリア調整構造が平衡調整を行った後における組立てられた状態の断面図であり、図６は本発明の実施形態２のディスク装置の主軸モーターのディスクキャリア調整構造による分解斜視図であり、そして、図７は本発明の実施形態２のディスク装置の主軸モーターのディスクキャリア調整構造による組立てられた状態の断面図である。
【００１５】
本発明のディスク装置の主軸モーターのディスクキャリア調整構造の部分的な部材は従来の技術における従来のディスク装置の主軸モーターの構造とは同じため、両者の同じ部分の部材は同じ符号を用いて標示することにより、ここでは再び詳細に説明しない。
【００１６】
【実施形態１】
図３を参照すると、本発明の実施形態１のディスク装置の主軸モーターのディスクキャリア調整構造は、主に、複数個の調整部材１２と複数個の位置決め孔１３が含まれる。位置決め孔１３は等角度かつ対称になるようにディスクキャリア１０に設置され、調整部材１２は位置決め孔１３に螺設されることにより、ディスクキャリア１０とローターハブ３０の間に当接するように形成される。このように、本発明において調整部材１２の当接の程度を調整するだけで、ディスクキャリア１０とローターハブ３０との間の間隔を迅速に調整することができるため、ディスクキャリア１０とローターハブ３０を水平に保つことができると共に、安定して平衡に回転することができる。
【００１７】
再び図３を参照すると、本発明の実施形態１のディスクキャリアの調整構造はディスク装置の主軸モーターにおいて複数個の調整部材１２と複数個の位置決め孔１３を設置したものである。ディスク装置の主軸モーターにはディスクキャリア１０、軸２０、ローターハブ３０およびステータ組４０が含まれる。ディスクキャリア１０は軸２０およびローターハブ３０とは一体になるように結合することができる。調整部材１２はねじからなる方が好適で、金属、合金またはプラスチックにより製造されることができると共に、ディスクキャリア１０とローターハブ３０との間に形成される隙間１４に組立てることができる。位置決め孔１３は等角度かつ対称になるようにディスクキャリア１０に設置され（例えば、三個の位置決め孔１３の場合だと、１２０°の角度で対称になるように設置される）、位置決め孔１３は調整部材１２が螺設するのに用いられる。このように、調整部材１２はディスクキャリア１０の正面を経由して下方へ位置決め孔１３を通過するように螺設されるため、ローターハブ３０の上面に当接するように形成される。そのため、本発明においては、調整部材１２が位置決め孔１３に螺設された程度（当接の程度）を変えるだけで、ディスクキャリア１０とローターハブ３０との間隔を迅速に調整することができると共に、ディスクキャリア１０とローターハブ３０を水平に保つことができると共に、安定して平衡に回転することができる。
【００１８】
図４，５を参照すると、本発明の実施形態１のディスクキャリアの調整構造が傾斜のディスクキャリア１０に使用された時、使用者は適当な数の調整部材１２をディスクキャリア１０が下方へ傾斜した片側に近い位置決め孔１３に螺設させ、そして各調整部材１２の螺設の程度（当接の程度）を変えるだけで、ディスクキャリア１０とローターハブ３０との隙間１４の大きさを迅速に調整することができ、さらにディスクキャリア１０とローターハブ３０との傾斜状態を修正することができるため、ディスクキャリア１０とローターハブ３０を水平に保つことができると共に、安定して平衡に回転することができる。本発明が上述の平衡調整の手順を完成した後、調整部材１２の材質（金属、合金、プラスチック）によって溶接、熱溶接、粘着剤付け等の方式を選んで調整部材１２を固定することにより、調整部材１２が緩んだり脱落したりするのを防ぐことができると共に、ディスクキャリア１０が再度傾斜になるのを避けることができる。
【００１９】
さらに、使用上の需要性に応じて本発明の位置決め孔１３をディスクキャリア１０の相対する半径方向の位置に設置することができ、例えばディスクキャリア１０の内側または外側に設置することができる。そして、位置決め孔１３の下周縁には他にフランジ３３１が選択自在に突設されることにより、位置決め孔１３の構造を強化することができる。その他に、ディスクキャリア１０の上表面には滑り止めパッド１５が設置されるため、ディスクが回転時においてディスクキャリア１０に対して滑るのを避けることができる。
【００２０】
【実施形態２】
図６，７を参照すると、本発明の実施形態２のディスク装置の主軸モーターのディスクキャリア調整構造はディスクキャリア１０とローターハブ３０との間に複数個の調整部材３２と複数個の位置決め孔３３を設置したものである。実施形態１と比べ、本発明の実施形態２においては位置決め孔３３はローターハブ３０に穿設され、さらに調整部材３２はローターハブ３０の内側から上方へ位置決め孔３３を通過するように螺設されるため、ディスクキャリア１０の裏面に当接するように形成される。そのため、本発明の実施形態２においても、実施形態１と同様に各調整部材３２の螺設の程度（当接の程度）を変えるだけで、ディスクキャリア１０とローターハブ３０との隙間１４の大きさを迅速に調整し、さらにディスクキャリア１０とローターハブ３０との傾斜状態を修正することにより、ディスクキャリア１０とローターハブ３０を水平に保つことができると共に、安定して平衡に回転することができる。さらに、使用上の需要性に応じて位置決め孔１３をローターハブ３０の内側または外側に選択自在に設置することができ、そして位置決め孔３３の上周縁には他にフランジ３３１が突設されることにより、位置決め孔３３の構造を強化することができる。
【００２１】
その他に、本発明の実施形態１と実施形態２の調整部材１２，３２および位置決め孔１３，３３を、ディスクキャリア１０とローターハブ３０との隙間１４を調整できるその他の構造と置き換えることができ、例えば異なる長さを有した複数個の柱体、または異なる弾性係数を有した複数個の弾性部材等と置き換えることができる。
【００２２】
再び図１，３を参照すると、本発明のディスク装置の主軸モーターのディスクキャリア調整構造はディスクキャリア１０とローターハブ３０との間に調整部材１２と位置決め孔１３を設置したもので、調整部材１２の当接の程度を変えるだけで、ディスクキャリア１０とローターハブ３０との間隔を調整し、さらにディスクキャリア１０とローターハブ３０との傾斜状態を修正することができる。従来のディスク装置の主軸モーターにおいては、破壊性を有した旋盤の加工方式によって研磨されたディスクキャリア１０は製造過程を短縮することができないと共に、ディスクキャリア１０の構造の強度に影響を与えてしまう等の問題点を有しているため、本発明のディスク装置の主軸モーターのディスクキャリア調整構造は非破壊性の方式によってディスクキャリア１０とローターハブ３０を水平に保つことができると共に、安定して平衡に回転することができる。
【００２３】
【発明の効果】
本発明のディスク装置の主軸モーターのディスクキャリア調整構造によれば、複数個の調整部材を利用してディスクキャリアとローターハブとの間隔を調整し、ディスクキャリアとローターハブとの傾斜状態を修正することにより、ディスクキャリアの平衡調整をより迅速かつ簡単にすることができるという利点がある。
【００２４】
本発明のディスク装置の主軸モーターのディスクキャリア調整構造によれば、複数個の調整部材を利用して複数個の位置決め孔と合わせ、ディスクキャリアとローターハブとの間隔を調整し、ディスクキャリアとローターハブとの傾斜状態を修正することにより、ディスクキャリアの平衡調整をより迅速かつ簡単にすることができるという利点がある。
【００２５】
本発明は、その精神及び必須の特徴事項から逸脱することなく他のやり方で実施することができる。従って、本明細書に記載した好ましい実施例は例示的なものであり、限定的なものではない。
【図面の簡単な説明】
【図１】従来のディスク装置の主軸モーターのディスクキャリアが平衡調整を行う前における組立てられた状態の断面図である。
【図２】従来のディスク装置の主軸モーターのディスクキャリアが平衡調整を行った後における組立てられた状態の断面図である。
【図３】本発明の実施形態１のディスク装置の主軸モーターのディスクキャリア調整構造による分解斜視図である。
【図４】本発明の実施形態１のディスク装置の主軸モーターのディスクキャリア調整構造が平衡調整を行う前における組立てられた状態の断面図である。
【図５】本発明の実施形態１のディスク装置の主軸モーターのディスクキャリア調整構造が平衡調整を行った後における組立てられた状態の断面図である。
【図６】本発明の実施形態２のディスク装置の主軸モーターのディスクキャリア調整構造による分解斜視図である。
【図７】本発明の実施形態２のディスク装置の主軸モーターのディスクキャリア調整構造による組立てられた状態の断面図である。
【符号の説明】
１０    ディスクキャリア            １１    挟持座
１２    調整部材                    １３    位置決め孔
１３１    フランジ                    １４    隙間
１５    滑り止めパッド              ２０    軸
３０    ローターハブ                ３１    環状磁石
３２    調整部材                    ３３    位置決め孔
３３１    フランジ                    ４０    ステータ組
４１    軸管                        ４２    回路板
【図１】
2004171668.tif 000003
【図２】
2004171668.tif 000004
【図３】
2004171668.tif 000005
【図４】
2004171668.tif 000006
【図５】
2004171668.tif 000007
【図６】
2004171668.tif 000008
【図７】
2004171668.tif 000009